(57)【要約】【課題】風呂蓋によって頭部を覆い密閉空間をつくり、家庭用風呂でサウナ効果を充分得ることが出来る風呂蓋を提供する。【解決手段】本発明の風呂蓋（１）は、家庭の風呂でサウナ効果を得ることが出来るように構成したもので、従来の風呂蓋とは異なり、頭部（１１）を覆うことが出来るように構成している。すなわち、入浴した場合に風呂蓋（１）に頭部（１１）が当たらないように、該風呂蓋は上方へ膨らんだ状態としている。しかし、この膨らみはジャバラ式で必要に応じて引き伸ばすことが出来る構造とし、その為に一般の風呂蓋のように平坦な形状になる。【選択図】図２
2016030196.tif 000002
【特許請求の範囲】
【請求項１】
家庭用風呂を利用してサウナ効果を得る為に浴槽に設置する風呂蓋において、浴槽に入った場合に該浴槽から上方へ突出する頭部を覆う為に、風呂蓋には上方へ引き伸ばすことが出来るジャバラ部を設け、ジャバラ部によって形成される空間に頭部が収まるようにしたことを特徴とするサウナ効果の機能を持つ風呂蓋。
【請求項２】
上記風呂蓋を前蓋部と後蓋部に分割し、後蓋部に上部ジャバラ部を設けた請求項１記載のサウナ効果の機能を持つ風呂蓋。
【発明の詳細な説明】
【技術分野】
【０００１】本発明はサウナ効果の機能を持つ風呂蓋に関するものである。
【背景技術】
【０００２】通常、風呂蓋は湯の温度低下を防ぐことを目的として風呂釜の上面に設置し、実際に入浴する際は蓋を取り外し、或いは蓋の一部をずらして身体を浴槽に入れる。【０００３】蓋をしたままでは、湯面と蓋の間の空間が狭く、その状態で通常の姿勢で入浴することは困難であるために、風呂蓋は一般に取り外される。【０００４】蓋を取り外したり、或いは蓋の一部をずらして入浴する場合では、湯気が上方に逃げてしまい、本発明が目的とする充分なサウナ効果は得られない。【０００５】一般に、半身浴が健康に良いと言われているが、半身浴は首まで入浴する場合と比べて、どうしても温浴効果の満足感が薄い。【０００６】特に、冬場は浴室内温度もあまり高くなく、湯冷めや風邪の原因となる可能性もある。【０００７】従来、サウナ効果を狙った風呂の蓋として、頭部だけを出すことが出来るものが知られている。例えば登録実用新案第３０７４５０４号に依る「頭部を出せるようにした風呂ふた」は、「風呂ふたの端に、頭部を出せるほどの扉を設け、お湯を中程まで入れた風呂内に人が入り風呂上面に考案の風呂ふたを装着し、扉を開けその空間から頭部を出すことによって蒸気を封じ込め、スチームサウナとして使用できるようにする。また、開閉できる扉を設けたことで、扉を閉じれば通常どうりお湯保温用としても使用することができるようになる。」【０００８】又、特許公開２００９−２７３８４１号に依る「家庭用簡易サウナ風呂蓋」は、家庭用風呂蓋の端を三分割することにより、給湯中の湯温低下を防ぎ、かつ入浴時の新陳代謝効果を高めることが出来る。
ところで、従来のサウナ効果の機能を持つ風呂蓋は、その一部を開口して頭部を風呂蓋から上方へ突出した状態で入浴するようになっている。勿論サウナ効果を得ることは出来るが、頭部を風呂蓋から上方へ突出することで、その効果は半減してしまう。
【特許文献１】登録実用新案第３０７４５０４号に依る「頭部を出せるようにした風呂ふた」
【特許文献２】特許公開２００９−２７３８４１号に依る「家庭用簡易サウナ風呂蓋」
【発明の開示】
【発明が解決しようとする課題】
【０００９】この様に、従来のサウナ効果を備えた風呂蓋には上記のごとき問題がある。本発明が解決しようとする課題はこの問題点であって、頭部も風呂蓋によって覆うことが出来るように構成し、家庭用風呂でサウナ効果を充分得ることが出来る風呂蓋を提供する。
【課題を解決するための手段】
【００１０】本発明の風呂蓋は、家庭の風呂でサウナ効果を得ることが出来るように構成したもので、従来の風呂蓋とは異なり頭部を風呂蓋から上方へ突出することなく、頭部を覆うことが出来るように構成している。すなわち、入浴した場合に風呂蓋に頭部が当たらないように、該風呂蓋は上方へ膨らんだ状態としている。しかし、この膨らみはジャバラ式で必要に応じて引き伸ばすことが出来る構造とし、その為に一般の風呂蓋のように平坦な形状になる。ここで上記ジャバラ機構を構成する具体的な構造は限定しないことにする。
【発明の効果】
【００１１】本発明の風呂蓋は普通は平坦な状態であるが、必要に応じて上方へ膨らむことが出来るようになっている。すなわちジャバラ式機構にて上方へ膨出することで、入浴する際にこの風呂蓋を使用するならば頭部を覆うことが出来る。そこで風呂蓋によってつくられた空間の部分は湯気が逃げずに滞留しサウナ効果が得られ、首までの入浴でなく半身浴でありながら、首までの入浴と同等以上の温浴効果発汗効果が得られる。【００１２】ジャバラの伸縮操作は、手を用いてワンタッチで操作でき、他に何の道具も使わず目的を達せられる。そして、風呂に入らない時間帯は一般の風呂蓋のように平板状とし、沸かした湯のエネルギーを無駄なく効率よく使うことが出来る。【００１３】従来の風呂蓋は、浴槽サイズにあわせ二分割・三分割された平板であったりロール式のものが多いが、本発明の風呂蓋は、頭部を覆うエリアのサイズで構成されているため、これら既存の風呂蓋との併用が可能である。【００１４】頭部をすっぽりと覆う構造になっているので、装置の一部が首や肌などに接触する不快感がないため、快適に入浴出来る。
【図面の簡単な説明】
【００１５】
【図１】本発明の風呂蓋のジャバラを膨らませていない状態の断面図。
【図２】本発明の風呂蓋のジャバラを膨らませて人が入浴している状態の断面図。
【図３】図２の外観斜視図。
【発明を実施するための形態】
【００１６】図１は、浴槽に本発明の蓋をした場合の断面であり、同図の（１）は風呂蓋、（２）は浴槽を表わし、浴槽（２）には所定のお湯（３）が満たされている。湯面（４）と上記風呂蓋（１）との間には空間（５）が形成されているが、人が入浴をする場合、一般にはこの風呂蓋（１）を取り外すことが必要となる。すなわち、風呂蓋（１）をした状態の空間（５）に頭部が収まることが出来ない。本発明の風呂蓋（１）は、浴槽（２）に風呂蓋（１）をした状態で入浴することが出来るように構成している。同図に示す風呂蓋（１）は二分割され、前蓋部（６）と後蓋部（７）で構成し、前蓋部（６）は入浴した場合に脚側に位置し、後蓋部（７）は入浴した時に頭部側に位置している。前蓋部（６）は平坦な板状態とし、後蓋部（７）はその一部にジャバラ部（８）を設けている。
【００１７】図２は、人（９）が入浴している状態を表わしている。浴槽（２）には風呂蓋（１）が配置され、そして、この風呂蓋（１）をしたままで入浴することが出来るように後蓋部（７）に設けているジャバラ部（８）を引き伸ばして凸状部を形成している。ジャバラ部（８）は上方へ引っ張ることで山形の凸状部となり、下側には空間（１０）が形成され、湯面（４）と風呂蓋（１）との間の空間（５）及びジャバラ部（８）によって形成した上記空間（１０）に頭部（１１）が収まるようになる。
このように、風呂蓋（１）をした状態で入浴することが可能となり、お湯から発散する蒸気が外へ逃げることはなく、家庭の風呂でサウナ効果を得ることが出来る。
【００１８】図３は、図２の外観斜視図であり、後蓋部（７）のジャバラ部（８）は山形の凸状となっている。ここで、前蓋部（６）は平坦な板状態で、一般的にはプラスチック板で構成し、後蓋部（７）は平坦なプラスチック板の中央にジャバラ部（８）を設けている。
ここで、ジャバラ部（８）を構成する構造としては特に限定しないが、例えば「ちょうちん」のように伸縮する構造を採用することが出来る。ジャバラ部（８）は後蓋部の平坦部と同一面に収まるように縮むことが出来、必要に応じて上方へ引き伸ばすことが可能である。
【符号の説明】
【００１９】    １    風呂蓋
２    浴槽
３    お湯
４    湯面
５    空間
６    前蓋部
７    後蓋部
８    ジャバラ部
９    人
１０  空間
１１  頭部
【図１】
2016030196.tif 000003
【図２】
2016030196.tif 000004
【図３】
2016030196.tif 000005